(57)【要約】【課題】  撮み部にて挟持具を開き、化粧筆（化粧ブラシ）の軸部を挟持することにより、毛先部を保護することのできる化粧筆用保護キャップを提供する。【解決手段】  化粧筆や化粧ブラシの毛先部を保護するキャップで、毛先部を左右から保護すべく軸部を挟持する挟持具と、挟持具を開閉する撮み部とからなる挟持体を左右一体的に設けてなることを特徴とする化粧筆用保護キャップ。【選択図】図１
0003133139.tif 000002
【実用新案登録請求の範囲】
【請求項１】
化粧筆や化粧ブラシの毛先部を保護するキャップで、毛先部を左右から保護すべく軸部を挟持する挟持具と、挟持具を開閉する撮み部とからなる挟持体を左右一体的に設けてなることを特徴とする化粧筆用保護キャップ。
【請求項２】
挟持具の内側に、滑り止め部を設けてなることを特徴とする請求項１記載の化粧筆用保護キャップ。
【請求項３】
挟持具が透明であることを特徴とする請求項１又は２記載の化粧筆用保護キャップ。
【考案の詳細な説明】
【技術分野】
【０００１】  本考案は、主に化粧筆の毛先部を保護する化粧筆用保護キャップに関するものである。
【背景技術】
【０００２】  従来の技術として、一端開口の筒状をなし、側壁に軸線方向に延びる溝を設けた柄部と、動物繊維とアクリル系繊維の表面に銅イオンと吸着させて表面に導電膜を形成した導電性繊維を混合したブラシ毛を有し柄部の内部に退没自在に装着されたブラシ本体と、柄部の外側から側壁に設けた溝を介してブラシ本体に固着されブラシ本体を柄部に沿って摺動するための作動体と、柄部に嵌合する内径をなし柄部の開口端を開口端を覆うように柄部に外装されたカバーとを有する化粧ブラシがある。（特許文献１参照）【０００３】  また、別の従来技術として、先端口を有して、先細状の先端部を一体に有したケース体と、軸の先端に着脱可能にネジ止めされたブラシ本体をコイルバネで後方へ附勢してケース体内に収納し、ケース対の後端に当接する天冠部にはガイド筒がケース体の後方孔に着脱可能にネジ止めされ、ガイド筒にはガイド構と迎合するガイド突条及びガイド面を有したノック棒と変移筒が軸推移自在に嵌装されて、ノック機構が構成され、軸の後端部を上記変移筒の前面に当接した状態を成して、ノック棒の前後退で変移筒が回転しながら進退位置に位置決めされてブラシ本体が上記先端口から出没可能となるノック式化粧用ブラシがある。（特許文献２参照）
【特許文献１】  実開平６−４４４２８号公報
【特許文献２】  実用新案登録第３０８２５７３号公報
【考案の開示】
【考案が解決しようとする課題】
【０００４】  上記前者においては、作動体にてブラシ毛をカバーに出し入れしてなるもので、カバーの内面が汚れた場合には、その摩擦でブラシ毛の外周が傷み、ブラシ毛がからむことがある。【０００５】  また、上記後者においては、ノック式のため、どうしてもコスト高となり、かつ、複数本の化粧用ブラシを持った場合、どのブラシか、外から見えない等の問題があり、実用性不合理である。
さらに、上記前者及び後者共に、専用具であり、他の化粧ブラシ等に取り替える等が出来ないものである。【０００６】  本考案は、このような従来の構成が有していた問題を解決しようとするもので、撮み部にて挟持具を開き、化粧筆（化粧ブラシ）の軸部を挟持することにより、毛先部を保護することのできる化粧筆用保護キャップを提供することを目的とする。
【課題を解決するための手段】
【０００７】  本考案は、上記目的を達成するため、化粧筆や化粧ブラシの毛先部を保護するキャップで、毛先部を左右から保護すべく軸部を挟持する挟持具と、挟持具を開閉する撮み部とからなる挟持体を左右一体的に設けてなる。
また、挟持具の内側に、滑り止め部を設けてなる。
そして、挟持具が透明であることを特徴とする。
【考案の効果】
【０００８】１）、毛先部を左右から保護すべく、軸部を挟持する挟持具と、挟持具を開閉する撮み部とより構成した挟持体を左右一体的に設けることにより、確実に毛先部を保護できると共に、ワンタッチで取り付け、取り外しができ、他の化粧筆（化粧ブラシ）にも取り付けできるものである。
２）、滑り止め部を設けることにより、より確実に挟持できる。
３）、挟持具が透明であることにより、中の毛先部の形状や大きさが分かり、便利である。
４）、化粧筆用保護キャップを上方からでも側方からでも化粧筆に取り付けることができ、使用し易いタイプを選択すればよい。
【考案の実施するための最良の形態】
【０００９】  化粧筆用保護キャップ１は、化粧筆や化粧ブラシの毛先部を保護するもので、毛先部を左右から保護すべく、軸部を挟持する下方を開口した半円弧筒条の挟持具２ａと、該挟持具２ａを開閉すべく上端部に撮み部２ｂを設けた挟持体２をコイルバネ３左右一体的に設けてなるものである。
【００１０】  なお、挟持具２ａ・２ａの内側下端面にゴム製等による半円弧状の滑り止め部４・４を設けることが望ましい。
【図面の簡単な説明】
【００１１】  また、少なくとも、挟持具２ａ・２ａを透明な素材（例えば、アクリル製やナイロン製等）にすることも一考である。【００１２】  上記化粧筆用保護キャップ１の使用例について下記に述べる。
化粧筆Ｋ（化粧ブラシでも含む）の軸部Ｇの上部を挟持して使用するもので、まず化粧筆用保護キャップ１の撮み部２ｂ・２ｂを指（図示せず）にて内側に押し、挟持具２ａ・２ａを開き、化粧筆Ｋの上部より毛先部ＫＳを保護すべく挿入し、撮み部２ｂ・２ｂを外側へ移動させ軸部Ｇを左右より挟持する。【００１３】  この時、滑り止め部４・４・にて軸部Ｇを確実に挟持することができ、かつ、挟持具２ａ・２ａ内の空洞部Ｄにて毛先部ＫＳが接触することなく保護できるものである。【００１４】  つぎに、他の実施例を説明する。
化粧筆用保護キャップ２１は、下部を開口し、前面にスリット２２ｃを形成した円筒状のバネ鋼等の弾性体による開閉自在な挟持具２２の両側に、略横Ｕ字形の撮み部２２ｂ・２２ｂを設けてなる。【００１５】  なお、挟持具２２の内側下端面に、ゴム製等による半円弧状の滑り止め部２４・２４を設けるのが望ましい。【００１６】  上記化粧筆用保護キャップ２１の使用例として、上記と同様に化粧筆Ｋにつけるもので、撮み部２２ｂ・２２ｂを指（図示せず）にて内側に押し、挟持具２２を開き、化粧筆Ｋの側方（図示せず）より毛先部ＫＳを保護すべく挿入し、挟持して毛先部ＫＳを保護するものである。【００１７】  なお、上記以外に、印鑑ケースのような形態も考えられる。
また、化粧筆や化粧ブラシには、色んな形状や大きさがあり、それぞれに合わせて作るものである。
さらに、材質においても、特に限定するものではなく、必要に応じて設定すればよい。【００１８】
【図１】  本考案の第１実施例の化粧筆用保護キャップを示す一部縦断正面図。
【図２】  本考案の第１実施例の化粧筆用保護キャップを示す底面図。
【図３】  本考案の第１実施例の化粧筆用保護キャップの使用状態をを示す一部縦断正面図。
【図４】  本考案の第２実施例の化粧筆用保護キャップを示す正面図。
【図５】  本考案の第２実施例の化粧筆用保護キャップを示す底面図。
【符号の説明】
【００１９】１−−−化粧筆用保護キャップ
２−−−挟持体
２ａ−−挟持具
２ｂ−−撮み部
３−−−コイルバネ
４−−−滑り止め部
Ｇ−−−軸部
Ｋ−−−化粧筆
ＫＳ−−毛先部
Ｄ−−−空洞部
【図１】
0003133139.tif 000003
【図２】
0003133139.tif 000004
【図３】
0003133139.tif 000005
【図４】
0003133139.tif 000006
【図５】
0003133139.tif 000007